(57)【要約】【課題】既存の設備を有効に活用しつつ、セッション制御装置に対する負荷を低減すること。【解決手段】セッション制御を行うセッション制御装置を有する通信システムは、複数のセッション制御装置を有し、各セッション制御装置の有する機能を登録する手段と、通信を行う端末装置との間で行われるネゴシエーションに基づいて、各セッション制御装置に対して設定する処理を決定する手段と、決定する手段において決定された処理を、各セッション制御装置に対して設定する手段とを有する。【選択図】図２
2010010948.tif 000002
【特許請求の範囲】
【請求項１】
セッション制御を行うセッション制御装置を有する通信システムであって、
複数のセッション制御装置を有し、
各セッション制御装置の有する機能を登録する手段と、
通信を行う端末装置との間で行われるネゴシエーションに基づいて、各セッション制御装置に対して設定する処理を決定する手段と、
前記決定する手段において決定された処理を、前記各セッション制御装置に対して設定する手段と
を有することを特徴とする通信システム。
【請求項２】
請求項１に記載の通信システムにおいて、
前記セッション制御装置は、前記登録する手段に対して、当該セッション制御装置の有する機能を通知することを特徴とする通信システム。
【請求項３】
請求項１又は２に記載の通信システムにおいて、
前記決定する手段は、各セッション制御装置に対して設定する処理に基づいて、トラヒックの転送経路を決定することを特徴とする通信システム。
【請求項４】
請求項１ないし３のいずれか１項に記載の通信システムにおいて、
前記各セッション制御装置に対して設定する処理には、フィルタリング処理、アドレス変換処理、CODEC処理、帯域制限処理、メディア変換処理が含まれることを特徴とする通信システム。
【請求項５】
請求項１ないし４のいずれか１項に記載の通信システムにおいて、
前記各セッション制御装置に対して設定する処理には、転送するセッション制御装置との間で、仮想専用線を設定する処理が含まれることを特徴とする通信システム。
【請求項６】
請求項１ないし５のいずれか１項に記載の通信システムにおいて、
前記決定する手段は、通信を行う端末装置間との距離に基づいて、各セッション制御装置に対して設定する処理を決定することを特徴とする通信システム。
【請求項７】
請求項１に記載の通信システムにおいて、
前記複数のセッション制御装置は、ネットワークを介して接続されることを特徴とする通信システム。
【請求項８】
請求項７に記載の通信システムにおいて、
前記ネットワークは、IP、ATM、STM及び電話網のうち、少なくとも１つにより接続されることを特徴とする通信システム。
【請求項９】
セッション制御を行うセッション制御装置を有する通信システムにおける通信制御方法であって、
前記通信システムは、複数のセッション制御装置を有し、
各セッション制御装置の有する機能を登録するステップと、
通信を行う端末装置との間で行われるネゴシエーションに基づいて、各セッション制御装置に対して設定する処理を決定するステップと、
前記決定するステップにおいて決定された処理を、前記各セッション制御装置に対して設定するステップと
を有することを特徴とする通信制御方法。
【請求項１０】
請求項９に記載の通信制御方法において、
前記セッション制御装置が、当該セッション制御装置の有する機能を通知するステップ
を有することを特徴とする通信制御方法。
【発明の詳細な説明】
【技術分野】
【０００１】
本発明は、電話やビデオ配信などをサービスとして提供するネットワークに関し、特に該電話やビデオ配信などをセッション単位で制御する際に帯域制御やメディア変換、アドレス払い出しなどの処理を実施する通信システム及び通信制御方法に関する。
【背景技術】
【０００２】
電話やビデオ配信などをサービスとして提供するネットワークにおいては、端末装置及び事業者が相互に接続される。例えば、該ネットワークには、図１に示すように、呼制御サーバ１０、ルータ、セッション制御装置(S/BC:  Session  Border  Controller)３０が含まれる。図１に示されるネットワークの例においては、ネットワーク２０は、１又は複数のルータを含む。また、図１に示されるネットワークの例において、ネットワーク４０は接続事業者が有するネットワークでもよい。呼制御サーバ、ルータ、セッション制御装置は、IPなどで接続される。呼制御サーバは、１又は複数のセッション制御装置を制御する。図１に示されるネットワークの例においては、２つのセッション制御装置３０（３０１、３０２）により、セッション制御装置群が構成される。
【０００３】
セッション制御装置は、端末装置間及び事業者間の接続における論理的な入り口に設置される。セッション制御装置は、セキュリティを確保しつつ、セッション単位で、サービスの相互接続に必要な制御を行う。該必要な制御には、帯域制御、メディア変換、アドレス払い出しなどが含まれる。例えば、セッション制御装置では、フィルタ処理、アドレス変換処理、符号化／復号(CODEC)変換処理、帯域制限処理、経路選択処理が行われる。セッション制御装置は、１回の制御で、該必要な制御に必要な処理を行う。
【特許文献１】「そこが知りたい最新技術  NGN入門」、152P-172P、井上友二監修、インプレスR&D、March、2007年
【特許文献２】［online］[平成２０年５月３０日検索]、インターネット<URL:  http://www.nissho-ele.co.jp/product/acme/feature.html>
【発明の開示】
【発明が解決しようとする課題】
【０００４】
呼制御サーバ１０は、１又は複数のセッション制御装置を制御する。セッション制御装置３０は、呼制御サーバ１０による制御に従って、トラヒックが通過する度に、サービスの相互接続に必要な複数の処理を行う。
【０００５】
１つのセッション制御装置には、サービスの相互接続に必要な複数の処理を実現するために、複数の機能が実装される。該複数の機能には、全ての呼に対しては必要のない機能も含まれる。セッション制御装置に複数の機能が実装される場合、該セッション制御装置３０のコストが上昇する。また、セッション制御装置３０に実装させる機能が増加した場合、該増加した機能を実装する必要がある。また、セッション制御装置を増設する場合には、全機能が実装されたものを設置する必要があるため、該セッション制御装置が大きくなり広い設置場所を必要とする。
【０００６】
また、複数の機能がセッション制御装置に実装される場合には、該セッション制御装置の処理負荷が増加することにより、収容できるユーザ数が制限される場合もある。
【０００７】
また、セッション制御装置に新規に機能を追加する場合には、該セッション制御装置の有する性能により、更改が必要になる。
【０００８】
本発明は、このような状況に鑑みてなされたものであり、その目的は、既存の設備を有効に活用しつつ、セッション制御装置に対する負荷を低減することができる通信システム及び通信制御方法を提供することにある。
【課題を解決するための手段】
【０００９】
上記課題を解決するため、本通信システムは、
複数のセッション制御装置を有し、
各セッション制御装置の有する機能を登録する手段と、
通信を行う端末装置との間で行われるネゴシエーションに基づいて、各セッション制御装置に対して設定する処理を決定する手段と、
前記決定する手段において決定された処理を、前記各セッション制御装置に対して設定する手段と
を有する。
【００１０】
本通信制御方法は、
セッション制御を行うセッション制御装置を有する通信システムにおける通信制御方法であって、
前記通信システムは、複数のセッション制御装置を有し、
各セッション制御装置の有する機能を登録するステップと、
通信を行う端末装置との間で行われるネゴシエーションに基づいて、各セッション制御装置に対して設定する処理を決定するステップと、
前記決定するステップにおいて決定された処理を、前記各セッション制御装置に対して設定するステップと
を有する。
【発明の効果】
【００１１】
本発明の実施例によれば、既存の設備を有効に活用しつつ、セッション制御装置に対する負荷を低減することができる通信システム及び通信制御方法を実現できる。
【発明を実施するための最良の形態】
【００１２】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
（第１の実施例）
本実施例に係る通信システムについて、図２を参照して説明する。
【００１３】
本実施例に係る通信システムは、呼制御サーバ１００を有する。呼制御サーバ１００は、端末装置間の接続（セッション）処理を行う。
【００１４】
また、該通信システムは、中継装置を有する。該中継装置には、ルータが含まれる。また、該中継装置には、スイッチが含まれるようにしてもよい。図２に示される例では、ネットワーク２００は、１又は複数のルータ及び／又はスイッチを有する。該ネットワーク２００には、端末装置６００が接続される。端末装置６００は複数であってもよい。また、端末装置６００は、携帯端末であってもよい。この場合、該携帯端末は、基地局を介してネットワーク２００と接続される。
【００１５】
また、該通信システムは、複数のセッション制御装置３００を有する。該セッション制御装置３００は、ネットワーク間に設置されるようにしてもよい。本実施例では、一例として、セッション制御装置３００がネットワーク２００とネットワーク４００との間に設置される場合について説明する。該セッション制御装置３００は、複数の機能のうちの１又は複数の機能を有するようにしてもよい。該セッション制御装置３００は、全機能を有する必要はない。該複数の機能には、フィルタ処理、アドレス変換処理、CODEC変換処理、帯域制限処理、メディア変換処理が含まれるようにしてもよい。また、複数のセッション制御装置３００は、セッション制御装置群と呼ばれてもよい。
【００１６】
本実施例に係る通信システムは、ネットワーク４００を有する。該ネットワーク４００は、例えば、接続事業者により運営される。該ネットワーク４００には、端末装置５００が接続される。端末装置５００は複数であってもよい。また、端末装置５００は、携帯端末であってもよい。この場合、該携帯端末は、基地局を介してネットワーク４００と接続される。
【００１７】
本実施例に係る通信システムは、インターネットプロトコル(IP:  Internet  Protocol)により接続されるようにしてもよい。例えば、NGN(Next  Generation  Network)により接続されるようにしてもよい。また、該通信システムは、非同期転送モード(ATM:  Asynchronous  Transfer  Mode)が適用されたシステムであってもよい。また、該通信システムは、同期転送モード(STM:  Synchronous  Transfer  Mode)が適用されたシステムであってもよい。また、該通信システムは、電話網により接続されたシステムであってもよい。セッション制御装置３００が有するメディア変換機能により、転送モードの変換処理が行われる。例えば、ATMとIPとの間の変換処理、STMとATMとの間の変換処理が行われる。
【００１８】
本実施例に係る呼制御サーバ１００について説明する。該呼制御サーバ１００は、接続処理部１０２を有する。接続処理部１０２は、端末装置間の接続処理を行う。例えば、接続処理部１０２は、接続する端末装置の有する能力に基づいて、端末装置間のネゴシエーションを行う。例えば、端末装置５００と端末装置６００との間の接続処理を行う場合、端末装置５００の有する能力と端末装置６００の有する能力との間で差がある場合には、セッション制御装置群において、該差を吸収するように制御する。このようにすることにより、接続する端末装置の有する能力に差がある場合に、該接続する端末装置間の接続のネゴシエーション自体が破棄されることを低減できる。
【００１９】
また、本実施例に係る呼制御サーバ１００は、セッション制御装置制御部１０４を有する。セッション制御装置制御部１０４は、事業者間のサーバなどでネゴシエーションした情報に基づいて、セッション制御装置３００へ、使用する機能を設定する。言い換えれば、セッション制御装置制御部１０４は、端末装置間の接続において、必要な機能を実現できるようにセッション制御装置群を制御する。例えば、セッション制御装置制御部１０４は、通信を行う端末装置間との距離に基づいて、各セッション制御装置に対して設定する機能（処理）を決定するようにしてもよい。また、セッション制御装置制御部１０４は、各セッション制御装置に対して設定する機能（処理）に基づいて、トラヒックの転送経路を決定するようにしてもよい。
【００２０】
本実施例に係るセッション制御装置２００について説明する。該セッション制御装置２００は、上述したように、フィルタ処理、アドレス変換処理、CODEC変換処理、帯域制限処理、メディア変換処理のうち、少なくとも１つの機能を有する。また、セッション制御装置２００は、この機能以外にもセッション制御のために必要な機能を有するようにしてもよい。本実施例においては、一例として、３つのセッション制御装置３００１、３００２及び３００３を有する場合について説明する。必要に応じて、１又は２のセッション制御装置を有するようにしてもよい。また、４以上のセッション制御装置を有するようにしてもよい。また、本実施例においては、一例として、セッション制御装置３００１がフィルタ処理及びアドレス変換処理を行い、セッション制御装置３００２がCODEC変換処理を行い、セッション制御装置３００３が帯域制限処理を行う場合について説明する。
【００２１】
本実施例に係るセッション制御装置３００１は、フィルタ処理部３０２を有する。フィルタ処理部３０２は、呼制御サーバ１００による制御に従って、攻撃パケットをフィルタリングし、該攻撃パケットの通過を阻止する。
【００２２】
また、本実施例に係るセッション制御装置３００１は、アドレス変換部３０４を有する。アドレス変換部３０４は、呼制御サーバ１００による制御に従って、CODEC変換機能を有するセッション制御装置３００２宛アドレスに、宛先アドレスを設定する。
【００２３】
本実施例に係るセッション制御装置３００２は、CODEC変換部３０６を有する。CODEC変換部３０６は、呼制御サーバ１００による制御に従って、セッション制御装置３００１により送信されたトラヒックに対して、CODEC変換処理を行う。また、CODEC変換部３０６は、呼制御サーバ１００による制御に従って、帯域制限処理機能を有するセッション制御装置３００３宛アドレスに、CODEC変換処理が行われたトラヒックの宛先アドレスを設定する。
【００２４】
本実施例に係るセッション制御装置３００３は、帯域制限処理部３０８を有する。帯域制限処理部３０８は、呼制御サーバ１００による制御に従って、セッション制御装置３００２により送信されたトラヒックに対して、帯域制限処理を行う。また、帯域制限処理部３０８は、呼制御サーバ１００による制御に従って、端末装置５００宛アドレスに、帯域制限処理が行われたトラヒックの宛先アドレスを設定する。
【００２５】
本実施例に係る通信システムの動作について、図３及び図４を参照して説明する。
【００２６】
本実施例に係る通信システムでは、セッション制御装置間における転送先を選択する方法として、アドレス・ポート番号変換が使用される。
【００２７】
呼制御サーバ１００と、端末装置５００及び６００との間で、ネゴシエーションが行われる（ステップＳ３０２、Ｓ３０４）。例えば、接続処理部１０２と端末装置５００との間でネゴシエーションが行われ、接続処理部１０２と端末装置６００との間でネゴシエーションが行われる。例えば、端末装置５００は、通信相手となる端末装置６００において処理できる符号化／復号処理を示す情報を呼制御サーバ１００に送信する。該符号化／復号処理を示す情報は、複数種類の符号化／復号処理が含まれてもよい。例えば、端末装置５００は、通信相手となる端末装置６００において処理できる符号化／復号処理を示す情報として、符号化／復号処理Ａ及びＢを呼制御サーバ１００に送信するようにしてもよい。また、端末装置６００は、当該端末装置６００において処理できる符号化／復号処理を示す情報を呼制御サーバ１００に送信する。該符号化／復号処理を示す情報は、複数種類の符号化／復号処理が含まれてもよい。例えば、端末装置６００は、当該端末装置６００において処理できる符号化／復号処理を示す情報として、符号化／復号処理Ｄ及びＥを呼制御サーバ１００に送信するようにしてもよい。
【００２８】
呼制御サーバ１００は、接続事業者との間でネゴシエーションを行う（ステップＳ３０６）。例えば、接続処理部１０２と接続事業者との間でネゴシエーションが行われる。
【００２９】
呼制御サーバ１００は、各セッション制御装置３００に対して、設定する機能を決定する（ステップＳ３０８）。例えば、呼制御サーバ１００には、各セッション制御装置が有する機能が事前に登録される。また、例えば、各セッション制御装置は、呼制御サーバ１００に、当該セッション制御装置が有する機能を通知するようにしてもよい。本実施例においては、呼制御サーバ１００には、セッション制御装置３００１が有する機能としてフィルタリング機能及びアドレス変換機能が登録される。該アドレス変換機能には、NAT(Network  Address  Translation)機能が含まれる。また、呼制御サーバ１００には、セッション制御装置３００２が有する機能としてCODEC変換機能が登録される。該CODEC変換機能には、変換できるCODECの種類を示す情報が含まれてもよい。該CODECの種類を示す情報は変換テーブルの形式であってもよい。また、呼制御サーバ１００には、セッション制御装置３００３が有する機能として帯域制限処理機能が登録される。
【００３０】
例えば、セッション制御装置制御部１０４は、端末装置５００及び６００により送信された符号化／復号処理を示す情報に基づいて、該端末装置５００及び６００において処理できる符号化／復号処理を比較する。そして、セッション制御装置制御部１０４は、セッション制御装置に対して、端末装置５００が有する符号化／復号処理から端末装置６００が有する符号化／復号処理への変換ができる機能を設定することを決定する。例えば、セッション制御装置制御部１０４は、セッション制御装置に対して、符号化／復号処理Ａ及びＢのうちの少なくとも一方から符号化／復号処理Ｃ及びＤのうちの少なくとも一方への変換ができる機能を設定することを決定する。本実施例では、該機能を有するセッション制御装置３００は、セッション制御装置３００２である。
【００３１】
セッション制御装置制御部１０４は、セッション制御装置３００１に対して、フィルタリング処理を設定することを決定する。また、セッション制御装置１０４は、セッション制御装置３００１に対して、セッション制御装置３００２にトラヒックを転送できるアドレス変換を設定することを決定する。また、セッション制御装置制御部１０４は、セッション制御装置３００２に対して、CODEC変換を設定することを決定する。具体的には、セッション制御装置制御部１０４は、セッション制御装置３００２に対して、符号化／復号処理Ａ及びＢのうちの少なくとも一方から符号化／復号処理Ｃ及びＤのうちの少なくとも一方への変換を設定することを決定する。また、セッション制御装置１０４は、セッション制御装置３００３に対して、帯域制限処理を設定することを決定する。
【００３２】
セッション制御装置制御部１０４は、各セッション制御装置３００１、３００２及び３００３に対して、機能設定情報を送信する（ステップＳ３１０）。該機能設定情報には、上述した当該セッション制御装置に対して設定される機能を示す情報が含まれる。
【００３３】
セッション制御装置３００１は、呼制御サーバ１００により送信された機能設定情報に従って、該機能設定情報に含まれる機能を設定する（ステップＳ３１２）。例えば、セッション制御装置３００１は、該機能設定情報に含まれる機能、具体的には、フィルタリング機能及びポート番号変換処理機能を設定する。
【００３４】
セッション制御装置３００２は、呼制御サーバ１００により送信された機能設定情報に従って、該機能設定情報に含まれる機能を設定する（ステップＳ３１４）。例えば、セッション制御装置３００２は、該機能設定情報に含まれる機能、具体的には、CODEC変換機能を設定する。
【００３５】
セッション制御装置３００３は、呼制御サーバ１００により送信された機能設定情報に従って、該機能設定情報に含まれる機能を設定する（ステップＳ３１６）。例えば、セッション制御装置３００３は、該機能設定情報に含まれる機能、具体的には、帯域制限機能を設定する。
【００３６】
端末装置５００は、端末装置６００宛に、アドレス変換処理と、CODEC処理と、帯域制限処理を行う必要のあるフローを送信する（ステップＳ３１８）。図４において、該フローは破線により示される。
【００３７】
該フローに含まれるトラヒックは、ネットワーク４００を介して、セッション制御装置３００１に送信される。セッション制御装置３００１は、該トラヒックに対して、フィルタリング処理及びポート番号変換処理を行う（ステップＳ３２０）。例えば、フィルタ処理部３０２は、端末装置５００からのトラヒックに対して、フィルタリング処理を行うことにより、攻撃パケットの通過を阻止する。また、例えば、アドレス変換部３０４は、CODEC変換機能を有するセッション制御装置３００２宛に宛先アドレスを変換する。
【００３８】
セッション制御装置３００１はセッション制御装置３００２向けの経路を選択する。そして、セッション制御装置３００１は、セッション制御装置３００２にトラヒックを転送する（ステップＳ３２２）。
【００３９】
セッション制御装置３００２はセッション制御装置３００１により転送されたトラヒックに対して、CODEC変換処理を行う（ステップＳ３２４）。例えば、CODEC変換部３０６は、符号化／復号処理Ａ及びＢの一方から符号化／復号処理Ｃ及びＤの一方への変換処理を行う。セッション制御装置３００２はセッション制御装置３００３向けの経路を選択する。そして、セッション制御装置３００２は、セッション制御装置３００３にトラヒックを転送する（ステップＳ３２６）。
【００４０】
セッション制御装置３００３はセッション制御装置３００２により転送されたトラヒックに対して、帯域制限処理を行う（ステップＳ３２８）。例えば、帯域制限処理部３０８は、CODEC変換処理が行われたトラヒックに対して、帯域制限処理を行う。セッション制御装置３００３は端末装置６００向けの経路を選択する。そして、セッション制御装置３００３は、端末装置６００にトラヒックを転送する（ステップＳ３３０）。
【００４１】
本実施例によれば、１つのセッション制御装置に配備されていた機能を複数のセッション制御装置に分散して配備できる。そして、１つのセッション制御装置により行われていた処理を、複数のセッション制御装置で行うことができる。このため、１つのセッション制御装置における処理負荷を低減できる。
【００４２】
また、既に設置されたセッション制御装置の置き換え及び／又は改良することなく、追加したい機能を有するセッション制御装置を設置できる。この場合、呼制御サーバから、セッション制御装置への設定内容を変更するだけで、各セッション制御装置が有する機能を実行できる。
（第２の実施例）
本実施例に係る通信システムについて、図５を参照して説明する。
【００４３】
本実施例に係る通信システムは、上述した実施例において、セッション制御装置３００１からセッション制御装置３００３の間で、仮想専用線(VPN:  Virtual  Private  Network)を設定し、該VPNを通るようにトラヒックを処理するようにしたものである。該VPNは、例えば、セッション制御装置３００１とセッション制御装置３００２との間で設定される。また、該VPNは、例えば、セッション制御装置３００２とセッション制御装置３００３との間で設定される。
【００４４】
本実施例に係る通信システムの動作について、図６を参照して説明する。
【００４５】
本実施例に係る通信システムでは、上述したように、セッション制御装置間における転送先を選択する方法として、VPNが使用される。
【００４６】
呼制御サーバ１００と、端末装置５００及び６００との間で、ネゴシエーションが行われる（ステップＳ６０２、Ｓ６０４）。例えば、接続処理部１０２と端末装置５００との間でネゴシエーションが行われ、接続処理部１０２と端末装置６００との間でネゴシエーションが行われる。例えば、端末装置５００は、通信相手となる端末装置６００において処理できる符号化／復号処理を示す情報を呼制御サーバ１００に送信する。該符号化／復号処理を示す情報は、複数種類の符号化／復号処理が含まれてもよい。また、端末装置６００は、当該端末装置６００において処理できる符号化／復号処理を示す情報を呼制御サーバ１００に送信する。該符号化／復号処理を示す情報は、複数種類の符号化／復号処理が含まれてもよい。
【００４７】
呼制御サーバ１００は、接続事業者との間でネゴシエーションを行う（ステップＳ６０６）。例えば、接続処理部１０２と接続事業者との間でネゴシエーションが行われる。
【００４８】
呼制御サーバ１００は、各セッション制御装置３００に対して、設定する機能を決定する（ステップＳ６０８）。例えば、呼制御サーバ１００には、各セッション制御装置が有する機能が事前に登録される。本実施例においては、呼制御サーバ１００には、セッション制御装置３００１が有する機能としてフィルタリング機能及びアドレス変換機能が登録される。該アドレス変換機能には、NAT(Network  Address  Translation)機能が含まれる。また、呼制御サーバ１００には、セッション制御装置３００２が有する機能としてCODEC変換機能が登録される。該CODEC変換機能には、変換できるCODECの種類を示す情報が含まれてもよい。該CODECの種類を示す情報は変換テーブルの形式であってもよい。また、呼制御サーバ１００には、セッション制御装置３００３が有する機能として帯域制限処理機能が登録される。例えば、セッション制御装置制御部１０４は、端末装置５００及び６００により送信された符号化／復号処理を示す情報に基づいて、該端末装置５００及び６００において処理できる符号化／復号処理を比較する。そして、セッション制御装置制御部１０４は、セッション制御装置に対して、端末装置５００が有する符号化／復号処理から端末装置６００が有する符号化／復号処理への変換ができる機能を設定することを決定する。
【００４９】
セッション制御装置制御部１０４は、セッション制御装置３００１に対して、フィルタリング処理を設定することを決定する。また、セッション制御装置１０４は、セッション制御装置３００１に対して、セッション制御装置３００２にトラヒックを転送できるアドレス変換を設定することを決定する。例えば、セッション制御装置１０４は、セッション制御装置３００２にトラヒックを転送できるアドレス変換を設定する場合に、該セッション制御装置３００２との間で、VPNを設定することを決定する。また、セッション制御装置制御部１０４は、セッション制御装置３００２に対して、CODEC変換を設定することを決定する。また、セッション制御装置制御部１０４は、セッション制御装置３００２に対して、該セッション制御装置３００３との間で、VPNを設定することを決定する。また、セッション制御装置１０４は、セッション制御装置３００３に対して、帯域制限処理を設定することを決定する。
【００５０】
セッション制御装置制御部１０４は、各セッション制御装置３００１、３００２及び３００３に対して、機能設定情報を送信する（ステップＳ６１０）。該機能設定情報には、当該セッション制御装置に対して設定される機能を示す情報が含まれる。
【００５１】
セッション制御装置３００１は、呼制御サーバ１００により送信された機能設定情報に従って、該機能設定情報に含まれる機能を設定する（ステップＳ６１２）。例えば、セッション制御装置３００１は、該機能設定情報に含まれる機能、具体的には、フィルタリング機能及びポート番号変換処理機能を設定する。
【００５２】
セッション制御装置３００２は、呼制御サーバ１００により送信された機能設定情報に従って、該機能設定情報に含まれる機能を設定する（ステップＳ６１４）。例えば、セッション制御装置３００２は、該機能設定情報に含まれる機能、具体的には、CODEC変換機能を設定する。
【００５３】
セッション制御装置３００３は、呼制御サーバ１００により送信された機能設定情報に従って、該機能設定情報に含まれる機能を設定する（ステップＳ６１６）。例えば、セッション制御装置３００３は、該機能設定情報に含まれる機能、具体的には、帯域制限機能を設定する。
【００５４】
端末装置５００は、端末装置６００宛に、アドレス変換処理と、CODEC処理と、帯域制限処理を行うフローを送信する（ステップＳ６１８）。
【００５５】
該フローは、ネットワーク４００を介して、セッション制御装置３００１に送信される。セッション制御装置３００１は、該フローに対して、フィルタリング処理及びポート番号変換処理を行う（ステップＳ６２０）。例えば、フィルタ処理部３０２は、端末装置５００からのトラヒックに対して、フィルタリング処理を行うことにより、攻撃パケットの通過を阻止する。また、例えば、アドレス変換部３０４は、CODEC変換機能を有するセッション制御装置３００２との間でVPNを設定し、該セッション制御装置３００２宛に宛先アドレスを変換する。
【００５６】
セッション制御装置３００１はセッション制御装置３００２向けの経路を選択する。そして、セッション制御装置３００１は、セッション制御装置３００２にトラヒックを転送する（ステップＳ６２２）。該トラヒックは、VPNを通るように処理される。
【００５７】
セッション制御装置３００２はセッション制御装置３００１により転送されたトラヒックに対して、CODEC変換処理を行う（ステップＳ６２４）。例えば、CODEC変換部３０６は、端末装置５００の有する符号化／復号処理から端末装置６００の有する符号化／復号処理への変換処理を行う。また、例えば、セッション制御装置３００２は、セッション制御装置３００３との間でVPNを設定し、該セッション制御装置３００３宛に宛先アドレスを変換する。
【００５８】
セッション制御装置３００２はセッション制御装置３００３向けの経路を選択する。そして、セッション制御装置３００２は、セッション制御装置３００３にトラヒックを転送する（ステップＳ６２６）。該トラヒックは、VPNを通るように処理される。
【００５９】
セッション制御装置３００３はセッション制御装置３００２により転送されたトラヒックに対して、帯域制限処理を行う（ステップＳ６２８）。例えば、帯域制限処理部３０８は、CODEC変換処理が行われたトラヒックに対して、帯域制限処理を行う。セッション制御装置３００３は端末装置６００向けの経路を選択する。そして、セッション制御装置３００３は、端末装置６００にトラヒックを転送する（ステップＳ６３０）。
【００６０】
本実施例においては、セッション制御装置３００１とセッション制御装置３００２との間、及びセッション制御装置３００２とセッション制御装置３００３との間において、トラヒックの転送の途中でVPNが設定される場合について説明したが、事前にVPNが設定されるようにしてもよい。
【００６１】
本実施例によれば、１つのセッション制御装置に配備されていた機能を複数のセッション制御装置に分散して配備できる。そして、１つのセッション制御装置により行われていた処理を、複数のセッション制御装置で行うことができる。このため、１つのセッション制御装置における処理負荷を低減できる。
【００６２】
また、既に設置されたセッション制御装置の置き換え及び／又は改良することなく、追加したい機能を有するセッション制御装置を設置できる。この場合、呼制御サーバから、セッション制御装置への設定内容を変更するだけで、各セッション制御装置が有する機能を実行できる。また、トラヒックの転送が行われるセッション制御装置間でVPNが設定されるため、セキュリティを向上させることができる。
【００６３】
本実施例によれば、既存の設備を有効に活用しつつ、セッション制御装置で様々な機能を実現することができる。また、各セッション制御装置では、１つの機能を実行できるようにすればよい。該１つの機能を実行できるセッション制御装置間をトラヒックが転送されることにより、複雑な機能を実現できる。また、処理の頻度が少ない機能を提供する場合には、該機能を実現するために配置するセッション制御装置の数を少なくできる。このため、運用コストを低減できる。
【図面の簡単な説明】
【００６４】
【図１】通信システムを示す説明図である。
【図２】一実施例に係る通信システムを示す説明図である。
【図３】一実施例に係る通信システムの動作を示すフロー図である。
【図４】一実施例に係る通信システムの動作を示す説明図である。
【図５】一実施例に係る通信システムを示す説明図である。
【図６】一実施例に係る通信システムの動作を示すフロー図である。
【符号の説明】
【００６５】
１０  呼制御サーバ
２０  ネットワーク
３０（３０１、３０２）  セッション制御装置
４０  ネットワーク
１００  呼制御サーバ
１０２  接続処理部
１０４  セッション制御装置制御部
２００  ネットワーク
３００（３００１、３００２、３００３）  セッション制御装置
３０２  フィルタ処理部
３０４  アドレス変換部
３０６  CODEC変換部
３０８  帯域制限部
４００  ネットワーク
５００  端末装置
６００  端末装置
【図１】
2010010948.tif 000003
【図２】
2010010948.tif 000004
【図３】
2010010948.tif 000005
【図４】
2010010948.tif 000006
【図５】
2010010948.tif 000007
【図６】
2010010948.tif 000008